(57)【要約】【課題】記録媒体の切断時に記録媒体が搬送面から浮くのを抑え、良好な切断を行うことができる記録装置を提供する。【解決手段】記録ヘッド２ａと、記録ヘッド２ａに対向して記録媒体Ｓを支持する支持部材（プラテン）７と、記録媒体Ｓの搬送手段１と、記録媒体Ｓの搬送方向に交差する方向に移動して記録媒体Ｓを切断するカッタ１４を含む切断装置９と、切断装置９よりも搬送方向下流側に位置する下流側吸引孔１１ａと、カッタ１４の動作に応じて下流側吸引孔１１ａから記録媒体Ｓへの吸引力の作用を制御する制御機構と、を備えている。【選択図】図１
2014100853.tif 000002
【特許請求の範囲】
【請求項１】
記録ヘッドと、前記記録ヘッドに対向して記録媒体を支持する支持部材と、前記記録媒体の搬送手段と、前記記録媒体の搬送方向に交差する方向に移動して前記記録媒体を切断するカッタを含む切断装置と、前記切断装置よりも搬送方向下流側に位置する下流側吸引孔と、前記カッタの動作に応じて前記下流側吸引孔から前記記録媒体への吸引力の作用を制御する制御機構と、を備えている記録装置。
【請求項２】
前記制御機構は、前記カッタが初期位置にある状態では前記下流側吸引孔を塞ぎ、前記カッタが前記記録媒体を切断する動作中は前記記録媒体に前記下流側吸引孔の吸引力を作用させるように前記下流側吸引孔を開放するシャッターを含む、請求項１に記載の記録装置。
【請求項３】
前記制御機構は、前記シャッターと係合するリンク部材と、前記カッタおよび前記リンク部材に係合するロック部材を含み、前記カッタの前記初期位置から前記記録媒体の切断位置へ向かう移動に連動して前記ロック部材および前記リンク部材が動き、該リンク部材の動きに応じて前記シャッターが閉位置から開位置に移動する、請求項２に記載の記録装置。
【請求項４】
前記切断装置よりも搬送方向上流側に上流側吸引孔を有し、前記上流側吸引孔は、前記カッタが初期位置にある状態でも前記カッタが前記記録媒体を切断する動作中でも前記記録媒体に吸引力を作用させる、請求項２または３に記載の記録装置。
【請求項５】
長尺の記録媒体に記録を行った後に切断する記録物作製方法であって、前記記録媒体への記録を行う際には、前記記録媒体を切断する切断装置よりも搬送方向上流側に位置する上流側吸引孔のみから前記記録媒体に吸引力を作用させて前記記録媒体を保持し、前記記録媒体の切断を行う際には、前記上流側吸引孔と、前記切断装置よりも搬送方向下流側に位置する下流側吸引孔とから前記記録媒体に吸引力を作用させて前記記録媒体を保持する、記録物作製方法。
【発明の詳細な説明】
【技術分野】
【０００１】
本発明は記録装置および記録物作製方法に関する。
【背景技術】
【０００２】
プリンタ、プロッタ、複写機等の記録装置のうち、ポスター等の比較的大きなサイズのシートを作製するためのインクジェット記録装置では、ロール状に巻かれた長尺の記録紙（ロール紙）が記録媒体として使用される。一般的に、ロール紙に印刷をする記録装置は、ロール紙を所望の長さのシート状に切断するための切断装置を備えている。画像形成（記録）されたロール紙は搬送方向の所望の位置で切断されて、最終的なシート状の記録物として排出される。以下の説明では、切断前の、ロール体につながった状態の長尺の記録媒体を「ロール紙」と称し、ロール体から切り離された後の単票状の記録媒体を「シート」と称して区別している。
【０００３】
切断装置として、シートの排出口近傍に、排出口を横切るように移動するカッタが設けられた構成が知られている。この構成では、切断時に、カッタの移動により生じる力をロール紙が受け、位置ずれする懸念がある。そこで、切断時にロール紙が位置ずれしないように、切断する直前にロール紙を挟持する部材を備えた構成が提案されている（特許文献１）。
【先行技術文献】
【特許文献】
【０００４】
【特許文献１】特開２００５−１４０９５号公報
【発明の概要】
【発明が解決しようとする課題】
【０００５】
近年、インクジェット記録装置は、記録時間を短縮するために記録領域を拡大する傾向がある。また、記録装置を小型化するために、記録領域よりも搬送方向下流側、特に、シートの排出口近傍（カッタ近傍）の搬送面を短く構成している。これらにより、ロール紙が搬送面から浮き易くなっている。ロール紙が搬送面から浮いた状態でカッタによる切断を行うと、切断性能に悪影響を及ぼす懸念がある。
【０００６】
まず、記録領域を拡大することによるロール紙の浮きについて説明する。ロール紙に印刷可能なシリアル型のインクジェット記録装置では、記録時間を短縮するために、複数の記録ヘッドを搬送方向に繋ぎ合わせてヘッドを大型化し、１パス分の記録領域を拡大することが知られている。この結果、ロール紙を記録領域へ搬送する搬送ローラからカッタまでの距離が長くなる。すなわち、搬送面が長くなる。ロール紙には巻き癖が残っており、搬送面が長くなるほど、巻き癖を規制されない部分が長くなるため、ロール紙の浮きが生じる可能性が高い。
【０００７】
次に、排出口近傍の搬送面を短くすることによるロール紙の浮きについて説明する。比較的大きいサイズ（Ａ１、Ａ０等）のロール紙に記録できるインクジェット記録装置は、スタンドの上に設置されることが多い。この場合、カッタで切断されたシート（記録物）は、記録装置下部に備えられたシート収納部に排出される。記録装置全体を小型化するために、シート収納部の奥行き寸法を短くし、さらに、シートを垂直方向に排出するように構成されている。このような構成では、切断時に、ロール紙の先端部が、カッタ下流側の下方に位置するシート収納部に向けて大きく垂れ下がった姿勢となる。この状態では、記録領域の下流側からカッタ下流側にかけてロール紙が大きく湾曲して、搬送面からの浮きが発生し易い。
【０００８】
以上説明したように、シート状に切断される前の時点で、ロール紙は搬送下流側（カッタ近傍）において浮きが発生し易いという課題がある。この浮きが、カッタの切断性能に悪影響を及ぼす。
【０００９】
ここで、カッタ近傍でロール紙が搬送面から浮くことによる切断性能の悪化について説明する。カッタは、ロール紙の全幅に亘る平板状の固定刃に対して平刃または丸刃が移動しながら切断するものや、一対の回転丸刃がガイド部材に沿って移動しながら切断するものが知られている。いずれのカッタにおいても、移動する刃（移動刃）の駆動伝達手段には無端ベルトが用いられる場合が多い。この場合、移動刃の本来の進行方向に対して（ロール紙の搬送方向に直交する幅方向に対して）蛇行して切断が行われると、切り始めから切り終わりまでの軌跡が直線にならない。通常、移動刃は、固定刃またはガイド部材に対して付勢され、進行方向に対して僅かに搬送方向上流側に傾いた姿勢に装着されている。これにより、ロール紙は、移動刃で搬送方向下流側に引っ張られながら切断される。切断中はロール紙が搬送方向下流側に引っ張られているため、搬送面からの浮きが解消される。しかし、切り始めは、カッタの近傍においてロール紙が搬送面から浮いたまま切断が開始される。切り始めに浮きがあると、切り始め部分と切断中の切断位置にずれが生じ、切り始めから切り終わりまでのカッタによる切断面の直線性を良好に保つことができない。
【００１０】
また、切断中のロール紙は、移動刃により搬送下流側へ引っ張られているため、切り離される側（カッタより下流側）は、排紙ガイドから滑り落ちる方向に力が作用している。特に、カッタが切り終わり側へ近づいた時は、カッタの切断動作で生じる搬送下流側へ引っ張る力とシートの自重とにより、既に切断済みの切り始め側から順次斜めに滑り落ちる現象（斜め落ち）が発生する。斜め落ちが発生すると、切り終わり側にロール紙の浮きが発生し易くなり、切断面の直線性が悪化する要因となる。
【００１１】
特許文献１の切断装置は、ロール紙を挟持してから切断を行う構成であるため、切断時にカッタから受ける力によるロール紙の位置ずれを抑制できる。しかしながら、前述したような、ロール紙が搬送面から浮くことに起因する切断面の直線性の悪化に対しては、有効に抑制できない場合がある。すなわち、切り始めから切り終わりまで、切断面の直線性を良好に保つためには、切り始め側および切り終わり側の浮きを的確に抑える構成が必要である。さらに、特許文献１の切断装置は、切断時にロール紙を挟持する際に記録面側を押圧部材で押し付ける構成であるため、記録部分に傷が付く懸念がある。
【００１２】
そこで本発明の目的は、記録媒体の切断時に記録媒体が搬送面から浮くのを抑え、良好な切断を行うことができる記録装置および記録物作製方法を提供することにある。
【課題を解決するための手段】
【００１３】
本発明の記録装置は、記録ヘッドと、記録ヘッドに対向して記録媒体を支持する支持部材と、記録媒体の搬送手段と、記録媒体の搬送方向に交差する方向に移動して記録媒体を切断するカッタを含む切断装置と、切断装置よりも搬送方向下流側に位置する下流側吸引孔と、カッタの動作に応じて下流側吸引孔から記録媒体への吸引力の作用を制御する制御機構と、を備えている。
【００１４】
長尺の記録媒体に記録を行った後に切断する本発明の記録物作製方法は、記録媒体への記録を行う際には、記録媒体を切断する切断装置よりも搬送方向上流側に位置する上流側吸引孔のみから記録媒体に吸引力を作用させて記録媒体を保持し、記録媒体の切断を行う際には、上流側吸引孔と、切断装置よりも搬送方向下流側に位置する下流側吸引孔とから記録媒体に吸引力を作用させて記録媒体を保持する。
【発明の効果】
【００１５】
本発明によれば、記録媒体を切断する際に切り始め側および切り終わり側の記録媒体の浮きを抑え、記録部分に傷を付けることなく、切断面の直線性を良好に保つことができる。
【図面の簡単な説明】
【００１６】
【図１】本発明の実施形態１に係るインクジェット記録装置の主要部を示す断面図である。
【図２】図１に示すインクジェット記録装置の主要部の、シャッターが閉じた状態を示す斜視図である。
【図３】図１に示すインクジェット記録装置の主要部の、シャッターが開いた状態を示す斜視図である。
【図４】図１に示すインクジェット記録装置の切断装置の移動刃の姿勢を示す詳細図である。
【図５】図１に示すインクジェット記録装置の主要部の、シャッターが閉じた状態を示す斜視図である。
【図６】図１に示すインクジェット記録装置の主要部の、シャッターが開いた状態を示す斜視図である。
【図７】図１に示すインクジェット記録装置におけるシャッターの開閉による記録媒体の姿勢変化を示す断面図である。
【図８】本発明の実施形態１に係る記録物作製方法の要部を示すフローチャートである。
【図９】本発明の実施形態２に係る記録物作製方法の要部を示すフローチャートである。
【発明を実施するための形態】
【００１７】
以下、本発明の実施の形態について図面を参照して詳細に説明する。
【００１８】
まず、本発明に係るインクジェット記録装置の全体構成を説明する。図１は、本発明の実施形態１に係るインクジェット記録装置の主要部を示す断面図、図２，３はその斜視図である。本実施形態のインクジェット記録装置１００は、シリアル型のインクジェット記録装置である。具体的には、搬送ローラを含む搬送ユニット（搬送手段）１によって記録媒体（ロール紙）Ｓを搬送方向（Ｙ方向）へ間欠的に搬送し、記録ヘッドを搬送方向と直交する幅方向（Ｘ方向）に往復移動させつつノズルから記録媒体Ｓにインク滴を吐出して記録を行う。
【００１９】
インクジェット記録装置は、大きいサイズの記録媒体Ｓに記録を行えるように、長尺の記録媒体Ｓをロール状に巻いたロール３を用い、ロール３から必要量だけ適宜に記録媒体（ロール紙）Ｓを繰り出して画像記録および切断を行って、所望の記録物を作製する。キャリッジ２には、記録ヘッド２ａが搭載されている。キャリッジ２は、Ｘ方向に沿って配置されたガイド軸５に沿って移動可能に支持されるとともに、ガイド軸５と略平行に移動する無端ベルト６に固定されている。無端ベルト６は図示しないキャリッジモータに駆動されてＸ方向に往復移動する。記録領域には、記録媒体Ｓを支持するための支持部材であるプラテン７が、記録ヘッド２ａのインク吐出面（ノズル面）と対向するように設けられている。プラテン７には上流側吸引孔７ａが設けられ、プラテン７の下方（Ｚ方向）には、記録媒体Ｓをプラテン７に密着させるための吸引装置８（例えばファンモータ）が配置されている。プラテン７の下流側には支持板４が設けられ、さらに、支持板４の搬送方向下流側には切断装置９が配置されている。切断装置９の搬送方向下流側には排紙ガイド１１が設けられ、プラテン７と支持板４と排紙ガイド１１によって、記録媒体Ｓの搬送面が構成されている。記録が終了した記録媒体Ｓは、所望の切断位置まで搬送された後、切断装置９により切断される。切断された記録媒体（シート）Ｓは、排紙ガイド１１に沿って落下し、記録装置１００の下部に設けられた図示しない収納部へ排出される。排紙ガイド１１には、下流側吸引孔１１ａと、下流側吸引孔１１ａを塞ぐことができるシャッター１２が設けられている。下流側吸引孔１１ａは、記録媒体Ｓの搬送面からの浮きを抑えるために設けられており、プラテン７の下方の吸引装置８により吸引力を作用させるように構成されている。吸引孔７ａおよび１１ａと吸引装置８との間は、ダクト１９で接続されている。
【００２０】
次に、図４を参照して切断装置９の主要部の構成について説明を行う。図４は、本実施形態に係る切断装置９のカッタ（移動刃）１４の姿勢を示す詳細図である。本実施形態の切断装置９は、記録媒体Ｓを切断するためのカッタ（移動刃）１４として、無端ベルト１０に固定された回転丸刃を備えている。無端ベルト１０は、図示しないモータの駆動力によりＸ方向に往復移動する。記録媒体Ｓの切断時にカッタ（回転丸刃）１４が蛇行しながら進行すると、すなわち、刃の進行方向（Ｘ方向）に交差（直交）する記録媒体搬送方向（Ｙ方向）の位置を変動させながら進行すると、切り始めから切り終わりまでの軌跡が直線にならない。カッタ１４の蛇行を防止するために、カッタ１４はガイド部材１３に、本来の進行方向（Ｘ方向）に対して、記録媒体搬送方向（Ｙ方向）上流側に僅かに傾けて配置されている。これにより、カッタ１４は、記録媒体Ｓを切断しながら搬送方向上流側へ付勢される力を受けて、蛇行することなく移動することができる。この時、記録媒体Ｓは、搬送方向下流側に引っ張られながら切断されるため、搬送面およびガイド部材１３からの浮きが解消される。
【００２１】
本発明は、下流側吸引孔１１ａに対向して設けられたシャッター１２が、カッタ１４の往復移動と連動して開閉することを特徴としている。シャッター１２は、記録媒体Ｓへの画像形成時には閉じられ、画像形成が終了して切断装置９が記録媒体Ｓを切断する際にのみ、カッタ１４の移動に連動して開く。
【００２２】
以下に、シャッター１２の開閉を制御する制御機構の詳細について説明する。図５は、シャッター１２が閉じた状態を示す斜視図、図６は、シャッター１２が開いた状態を示す斜視図である。図５，６では、排紙ガイド１１の下に位置するシャッター１２の開閉の制御機構の主要部が見えるように、排紙ガイド１１を図示省略している。
【００２３】
まず、シャッター１２の開閉の制御機構を構成する各部品について説明を行う。シャッター１２はＸ方向にスライド可能に設けられている。シャッター１２の一部と平面的に重なる位置に、リンク部材１６が、回転軸１６ａを中心として回転可能に配置されている。また、リンク部材１６に隣接して、ロック部材１５が、回転軸１５ａを中心として回転可能に配置されている。そして、シャッター１２の裏面（下面）に設けられている円筒凸部１２ａがリンク部材１６の穴部１６ｂに挿入されて、シャッター１２とリンク部材１６とが一体化されている。さらに、リンク部材１６にはバネ１８が取り付けられ、このバネ１８によって、リンク部材１６およびシャッター１２は、シャッター１２が閉じる方向（Ｘ方向）に向けて付勢されている。また、ロック部材１５にはバネ１７が取り付けられ、ロック部材１５はＸ方向に付勢されている。ロック部材１５の爪部１５ｂがリンク部材１６の凹部１６ｃに係合することによって、バネ１７に付勢されたロック部材１５は、リンク部材１６を所定の位置に保持してロックする働きをする。また、カッタ１４には、リンク部材１６の端部１６ｄに係合する突起部１４ａと、ロック部材１５の端部１５ｃに係合する突起部１４ｂが設けられている。
【００２４】
このような構成のシャッター１２の開閉を伴う記録媒体Ｓの切断動作について、図８に示す本発明の記録物作製方法の要部のフローチャートを参照して説明する。まず、図２，５，７（ａ）に示すようにシャッター１２が閉じている場合を説明する。シャッター１２が閉じているのは、カッタ１４が初期位置にある、記録媒体Ｓへの記録、すなわち画像形成（ステップＳ１）等である。画像形成（ステップＳ１）の動作中は、プラテン７の上流側吸引孔７ａのみで記録媒体Ｓの吸引を行い、排紙ガイド１１の下流側吸引孔１１ａをシャッター１２で塞いで記録媒体Ｓへの吸引力を作用させない。これは、画像形成する際に、記録領域よりも搬送方向下流側で吸引することによる搬送精度の悪化を防止するためである。
【００２５】
具体的には、画像形成中のカッタ１４は、幅方向（Ｘ方向）において記録媒体Ｓの外側の初期位置に待機している。このようにカッタ１４が初期位置にある場合は、カッタ１４の突起部１４ｂがロック部材１５の端部１５ｃを押し込み、ロック部材１５はバネ１７のバネ力に抗して矢印Ｃ方向に回転し、リンク部材１６のロックが解除された状態である。ロックされていないリンク部材１６は、バネ１８に付勢されて矢印Ｄ方向に回転し、シャッター１２は閉位置にある。
【００２６】
次いで、図３，６，７（ｂ）に示すようにシャッター１２が開いている場合を説明する。シャッター１２が開いているのは、カッタ１４が記録媒体Ｓを切断する場合である。記録媒体Ｓを切断する動作中は、シャッター１２が開いて下流側吸引孔１１ａが開放され、上流側吸引孔７ａとともに下流側吸引孔１１ａから吸引を行う。これにより、記録媒体Ｓを記録媒体搬送方向の上流側でも下流側でも吸引して保持し、搬送面から記録媒体Ｓが浮くことを抑え、記録媒体Ｓを安定して切断することができる。
【００２７】
具体的には、画像形成（ステップＳ１）が終了すると、記録媒体Ｓは所定の切断位置まで搬送される（ステップＳ２）。その後、図示しないモータおよび無端ベルト１０に駆動されて、カッタ１４が初期位置から切断方向（Ｘ方向）への移動を開始し、カッタ１４の突起部１４ａがリンク部材１６の端部１６ｄを押し込む。それとともに、リンク部材１６は矢印Ａ方向に回転して、シャッター１２が開く（ステップＳ３）。カッタ１４が切断方向（Ｘ方向）へさらに移動すると、突起部１４ｂがロック部材１５の端部１５ｃから離れ、解放されたロック部材１５はバネ１７の付勢力により矢印Ｂ方向へ回転する。このようにリンク部材１６とロック部材１５がそれぞれ回転することにより、リンク部材１６の凹部１６ｃにロック部材１５の爪部１５ｂが係合し、リンク部材１６がロック部材１５によって回転不能に保持（ロック）される。それにより、シャッター１２は開位置に保持される。さらにカッタ１４の移動を続行し、記録媒体Ｓを切断する（ステップＳ４）。
【００２８】
シャッター１２が閉じている状態では、図７（ａ）に示すように、記録媒体Ｓに対して下流側吸引孔１１ａからの吸引力は作用しない。記録媒体Ｓは上流側吸引孔７ａからのみ吸引され、プラテン７に密着している。これにより、前記したとおり搬送精度の悪化を防止することができる。しかしながら、記録媒体Ｓであるロール紙は、巻き癖が残っており、しかも先端部が切断装置９の下流側において大きく垂れ下がった姿勢で排出される。そのため、記録媒体Ｓは、プラテン７の下流側から排紙ガイド１１上にかけて大きく湾曲し、搬送面からの浮きが発生する場合がある。そこで、画像形成終了後に記録媒体Ｓを切断する際には、図７（ｂ）に示すようにシャッター１２が開いた状態にする。それにより、画像形成時には搬送面から浮いていた記録媒体Ｓが、下流側吸引孔１１ａから吸引力を受け、下流側吸引孔１１ａの近傍で排紙ガイド１１に密着する。記録媒体Ｓの切断が終わるまで下流側吸引孔１１ａの吸引を継続することにより、切り離される側の記録媒体Ｓが、排紙ガイド１１に密着したままになる。それにより、切り離される側の記録媒体Ｓの斜め落ちを防止し、切り終わり側の浮きを抑えることができる。
【００２９】
以上のようにカッタ１４による記録媒体Ｓの切断（ステップＳ４）が完了したら、カッタ１４は初期位置に向けて戻り、カッタ１４の突起部１４ｂがロック部材１５の端部１５ｃを押し込む。ロック部材１５は矢印Ｃ方向に回転し、ロック部材１５の爪部１５ｂがリンク部材１６の凹部１６ｃから脱出し、リンク部材１６のロックは解除される。解放されたリンク部材１６は、バネ１８の付勢力により矢印Ｄ方向へ回転し、それに伴ってシャッター１２は閉位置に移動する（ステップＳ５）。こうして、次の記録媒体Ｓへの画像形成に備える。
【００３０】
以上説明したとおり、本実施形態では、カッタ１４による記録媒体Ｓの切断動作に合わせて、シャッター１２を開閉させ、排紙ガイド１１の下流側吸引孔１１ａからの吸引を制御する。これにより、カッタ１４が記録媒体Ｓを切断する際の切り始め側と切り終わり側の浮きを的確に抑制し、切断面の直線性を良好に保つことができる。
【００３１】
本実施形態では、シャッター１２の開閉を制御する制御機構を、リンク部材１６とロック部材１５とバネ１７，１８を用いて構成している。しかし、本発明はこのような構成に限られるものではなく、カッタ１４の移動と連動してシャッター１２が開閉する構成であればよい。
【００３２】
［実施形態２］
実施形態２では、図９に示すように、カッタ１４が移動を開始して記録媒体Ｓを切断する直前に、一時停止するステップＳ６を追加する。すなわち、画像形成（ステップＳ１）が終了したら、記録媒体Ｓが所望の切断位置まで搬送され（ステップＳ２）、カッタ１４が初期位置から切断方向（Ｘ方向）へ移動を開始するとともにシャッター１２を開く（ステップＳ３）。その後、シャッター１２が開いた状態で、カッタ１４は記録媒体Ｓを実際に切断する前に、所定の時間だけ一時停止する（ステップＳ６）。その後、カッタ１４が移動を再開して記録媒体Ｓを切断し（ステップＳ４）、カッタ１４は初期位置に向けて戻り、それに伴ってロック部材１５およびリンク部材１６が揺動してシャッター１２が閉じる（ステップＳ５）。
【００３３】
本実施形態では、カッタ１４が切断前に一時停止するステップＳ６が追加されている。これは、下流側吸引孔１１ａによる吸引を十分に行い、記録媒体Ｓを排紙ガイド１１にしっかりと密着させるためである。このステップＳ６を追加することにより、切断前に記録媒体Ｓの浮きをより確実に抑えて記録媒体Ｓを切断することができ、カッタ１４による切断面の直線性をより良好に保つことができる。
【符号の説明】
【００３４】
１      搬送ユニット（搬送手段）
２ａ    記録ヘッド
７      プラテン（支持部材）
７ａ    上流側吸引孔
９      切断装置
１１ａ  下流側吸引孔
１２    シャッター
１４    カッタ（移動刃）
１５    ロック部材
１６    リンク部材
１００  インクジェット記録装置
Ｓ      記録媒体
【図１】
2014100853.tif 000003
【図２】
2014100853.tif 000004
【図３】
2014100853.tif 000005
【図４】
2014100853.tif 000006
【図５】
2014100853.tif 000007
【図６】
2014100853.tif 000008
【図７】
2014100853.tif 000009
【図８】
2014100853.tif 000010
【図９】
2014100853.tif 000011